(57)【要約】      （修正有）【課題】現地の状況に合わせて容易に見栄え良く設置することができるフェンスネットを提供する。【解決手段】全面に網目を有するシート状のフェンスネットであって、下端部５Ａから上端部５Ｂまで連通する筒状をなし、幅方向に並んで配置された複数の支柱挿通部４が設けられ、支柱挿通部４のそれぞれの幅寸法Ｌが等しく、かつ、隣り合う支柱挿通部４のそれぞれのピッチＰが等しく形成されている。また、支柱挿通部４の幅寸法Ｌが、支柱の直径の２〜２．５倍に形成されている。さらに、支柱挿通部４の上端部５Ｂが閉止手段６によって閉じられている。【選択図】図１
0003188865.tif 000002
【実用新案登録請求の範囲】
【請求項１】
全面に網目を有するシート状のフェンスネットであって、
下端部から上端部まで連通する筒状をなし、幅方向に並んで配置された複数の支柱挿通部が設けられ、前記支柱挿通部のそれぞれの幅寸法が等しく、かつ、隣り合う前記支柱挿通部のそれぞれのピッチが等しく形成されていることを特徴とするフェンスネット。
【請求項２】
前記支柱挿通部の幅寸法が、前記支柱挿通部に挿入される支柱の直径の２〜２．５倍に形成されていることを特徴とする請求項１に記載のフェンスネット。
【請求項３】
前記支柱挿通部の上端部が閉止手段によって閉じられていることを特徴とする請求項１または請求項２に記載のフェンスネット。
【考案の詳細な説明】
【技術分野】
【０００１】
本考案は、敷地内への人や動物の侵入を防ぐためのフェンスネットに関するものである。
【背景技術】
【０００２】
従来、特定の敷地（例えば、工事現場や私有地など）への人や動物の侵入を防ぐために、その敷地を囲うようにしてフェンスネットが設置されることがある。このフェンスネットは、その全面に開けられた複数の網目から風が抜けるようになっているので、網目の無いシート材と比較して、強風で飛ばされたり破損したりするのを防止することができる。また、網目を通して敷地内を適度に視認できる点にも利便性がある。
【０００３】
このようなフェンスネットには、地面に打ち込むための複数の支柱が予め取り付けられている。現地では、フェンスネットを適度に張った状態で、これらの支柱を地面に打ち込むことによって設置される（例えば、特許文献１、２参照）。
【先行技術文献】
【特許文献】
【０００４】
【特許文献１】特開２００２−３１５４９７号公報
【特許文献２】実用新案登録第３１４３３７３号公報
【考案の概要】
【考案が解決しようとする課題】
【０００５】
しかしながら、フェンスネットが設置される敷地の外縁には、石や舗装部分などの種々の障害物があり、思い通りの位置に支柱を打ち込めないことがある。そのため、最適な間隔よりも狭い間隔で支柱を打ち込まざるを得ない場合には、フェンスネットを見栄え良く張った状態で設置することが難しい。
また、フェンスネットに予め支柱を取り付けたものは、全体的に重くなりかさばる。そのため、フェンスネットの設置作業性が悪く、設置に時間がかかる。
【０００６】
本考案は、上述した事情を鑑みてなされたものであり、現地の状況に合わせて容易に見栄え良く設置することができるフェンスネットを提供するためのものである。
【課題を解決するための手段】
【０００７】
上述課題を解決するため、本考案に係るフェンスネットは、その全面に網目を有するシート状のものであり、下端部から上端部まで連通する筒状をなし、幅方向に並んで配置された複数の支柱挿通部が設けられ、前記支柱挿通部のそれぞれの幅寸法が等しく、かつ、隣り合う前記支柱挿通部のそれぞれのピッチが等しく形成されていることを特徴とする。
【０００８】
また、前記支柱挿通部の幅寸法が、前記支柱挿通部に挿入される支柱の直径の２〜２．５倍に形成されていてもよい。
【０００９】
さらに、前記支柱挿通部の上端部が閉止手段によって閉じられていてもよい。
【考案の効果】
【００１０】
本考案によれば、支柱挿通部のそれぞれの幅寸法が等しく、かつ、隣り合う前記支柱挿通部のそれぞれのピッチが等しく形成されているので、予め現地で打ち込まれた支柱に対して、その支柱の位置に合わせてフェンスネットを張った状態で取り付けることができる。特に、地面に障害物等があって支柱を所定の位置に打ち込めなかった場合であっても、従来と比較してフェンスネットに大きなたわみが生じさせないようにして（ピッチＰ以下のたわみで）設置することができる。
【図面の簡単な説明】
【００１１】
【図１】本考案の実施の形態に係るフェンスネットの正面図である。
【図２】図１のＡ−Ａ断面図であって、支柱挿通部を開いた状態で示したものである。
【図３】地面に支柱を打ち込んだ状態を示す正面図である。
【図４】図３の状態から、フェンスネットを支柱に取り付けた状態を示す正面図である。
【図５】閉止手段を破壊してフェンスネットを支柱に取り付けた状態を示す正面図である。
【図６】敷地に障害物がある場合の設置例を示す正面図である。
【図７】敷地に障害物がある場合の設置例を示す正面図である。
【考案を実施するための形態】
【００１２】
以下、本考案の実施形態に係るフェンスネット１について、図１および図２を用いて説明する。なお、以下の説明で使用する上下、左右（幅）、奥行き方向とは、図１を手前側から見た方向をいうものとする。
【００１３】
フェンスネット１は、図１に示すように、略矩形状のシート状のものであり、樹脂等の可撓性のある材料で形成されている。このフェンスネット１の全面には、満遍なく網目２が形成れている。また、このフェンスネット１には、支柱１０（詳細は後述する）が挿通される支柱挿通部４が、左右方向（幅方向）に並んで複数形成されている。
なお、図１および図２において、フェンスネット１に設けられた支柱挿通部４の個数（図中では９個）は、フェンスネット１の左右方向の長さによって適宜変更される。例えば、幅方向に長尺なフェンスネット１であれば、９個以上の支柱挿通部４が形成される。また、フェンスネット１の上下方向の長さについても、必要によって自由に決定することができる。
【００１４】
支柱挿通部４は、図２に示すように、奥行き方向で二重になっており、フェンスネット１の下端部５Ａから上端部５Ｂまで連通する筒状に形成されている。この支柱挿通部４には、支柱１０が下端部５Ａから挿入される。それぞれの支柱挿通部４の幅寸法Ｌは等しく形成されている。また、支柱挿通部４の幅寸法Ｌは、支柱１０を挿入した状態で、支柱挿通部４の内側と支柱１０の外面とがほぼ隙間なく挿入される大きさ、或いは若干隙間が生じる大きさに形成されている。
【００１５】
また、隣り合う支柱挿通部４は、図１および図２に示すように、上下方向に延びる連接部３によってそれぞれ幅方向で繋げられている。この連接部３のそれぞれの幅寸法Ｍは等しく、かつ、できるだけ小さくなるように形成されている。
【００１６】
さらに、隣り合う支柱挿通部４同士のピッチＰは、支柱挿通部４の幅寸法Ｌと連接部３の幅寸法Ｍを足した寸法（Ｐ＝Ｌ＋Ｍ）であり、それぞれのピッチＰが等しく形成されている。
【００１７】
この支柱挿通部４の下端部５Ａは、支柱１０が下側から挿入できるように開口している。一方、支柱挿通部４の上端部５Ｂは閉止手段６によって閉じられており、下端部５Ａから挿入された支柱１０の頂部１０Ａが、筒状の部分を通ってこの上端部５Ｂの位置で閉止手段６と突き当たるようになっている（図４参照）。
【００１８】
閉止手段６は、支柱１０の挿入時に頂部１０Ａと突き当たる程度の力では閉じた状態を維持する（破壊されない）。一方、作業者がフェンスネット１を支柱１０に沿ってさらに下側へ引き下げる（挿入時以上の力）と、閉止手段６は破壊され、頂部１０Ａがフェンスネット１の上端部５Ｂから突き抜けるようになっている（図５参照）。すなわち、閉止手段６の強度は、上述した程度の強度で閉じられたものである。
【００１９】
この閉止手段６は、例えば、フェンスネット１の樹脂材料を熱で溶着することで、閉じた状態にしてある。このとき、溶着は、破壊強度に合わせて上端部５Ｂの上辺の全体を溶着して閉じていてもよく、上辺の１カ所或いは数カ所をスポットで溶着するようにしてもよい。
また、閉止手段６は、上端部５Ｂを樹脂製の糸で縫製して閉じた状態にしてもよい。このとき、上辺の全体を縫製していてもよく、１カ所或いは数カ所をスポットで縫製するようにしてもよい。
さらには、溶着或いは縫製以外の方法（例えば、ホチキスの針のような留め具によって綴じるものなど）によって閉じてあってもよく、一般的に使用される方法であればいずれを使用してもよい。
【００２０】
このフェンスネット１は、ポリエチレン等の樹脂製の繊維をラッセル織り等で編網して形成されている。また、網目２を有する２枚のシートを奥行き方向で面を重ね合わせ、連接部３を熱溶着または縫製することで支柱挿通部４を筒状に形成したものでもよい。さらに、支柱挿通部４のみを二重に重ね合わせて熱溶着或いは縫製するようなものでもかまわない。
【００２１】
次に、本実施の形態に係るフェンスネット１の作用について説明する。
本考案のフェンスネット１は、複数の支柱１０を敷地の縁部に沿って先に打ち込んだ後に、この支柱１０に被せるようにして上側から取り付けるのに優れている。この手順でフェンスネット１を設置することにより、フェンスネット１がかさばらず、設置作業を従来に比べて容易に行うことができる。また、従来と比較して、地面に障害物があったとしても、フェンスネット１を張った状態で設置できるようになる。
【００２２】
支柱１０は、工事現場等で一般的に使用されているものである。なお、支柱としては種々の直径のものが存在するが、１つの現場では同じ直径の支柱が使用される。フェンスネット１は、この使用される支柱の直径に合わせて支柱挿通部４の幅寸法Ｌが形成されている。
【００２３】
図３に示すように、この支柱１０を敷地の縁部に沿って、隣り合う支柱挿通部４のピッチＰの整数倍の間隔Ｄ（図３では、一例としてＤ＝４×Ｐとしている。なお、４倍にしたのは例示であり、他の整数倍であってもよい）で予め打ち込んでおく。このとき、地面の障害物２０によって間隔Ｄで打ち込むことのできない部分では、図６に示すように（Ｄ＋Ｐ＝５×Ｐ）或いは（Ｄ−Ｐ＝３×Ｐ）の間隔で支柱１０を打ち込んでおく。このように支柱１０のみを予め地面に打ち込めるので、従来のように支柱が取り付けられたかさばった状態のフェンスネットの全体を持ち上げながら支柱を打ち込む作業と比較して、容易かつ効率的に打ち込み作業を行うことができる。
【００２４】
フェンスネット１は、これらの支柱１０の上側から被せるようにして取り付けられる。このとき、支柱１０の間隔Ｄ（Ｄ＋Ｐ、Ｄ−Ｐ）は支柱挿通部４のピッチＰの整数倍なので、フェンスネット１の下側をぴんと張った状態で支柱１０の位置に対応する支柱挿通部４の下端部５Ａをそれぞれの支柱１０の頂部１０Ａに挿入することができる。そして、フェンスネット１の幅方向の全部を支柱１０に挿通させた状態で、フェンスネット１全体を下に引き下ろすようにして設置する。これにより、フェンスネット１を張った状態で設置することができる。この設置作業では、支柱１０の取り付けられていない軽量のフェンスネット１単体を持ち上げて設置することができるので、容易かつ効率的に作業を行うことができる。
【００２５】
一方、図７に示すように、障害物２０に起因して支柱１０を間隔Ｄ（Ｐ＋Ｄ、Ｐ−Ｄ）で打ち込めない場合（Ｄ≠４×Ｐの場合）には、フェンスネット１の下側をぴんと張った状態でその支柱１０に対応する最も近い支柱挿通部４を選んで挿入する。このとき、フェンスネット１を完全に張った状態で設置することはできないが、少なくとも、最大で発生するたわみをピッチＰ以下にして設置することができる。この点、従来のように予め支柱をフェンスネットに取り付けるものでは支柱間のピッチが変更できないので、本考案のものに比べてピッチＰ以上の大きなたわみが発生してしまう。
【００２６】
フェンスネット１を支柱１０に沿って下側に引き下ろす際、フェンスネット１の上端部５Ｂは閉止手段６によって閉じられているので、支柱１０の頂部１０Ａと閉止手段６とが突き当たったところでフェンスネット１の位置決めをすることができる（図４参照）。そのため、現地でフェンスネット１を単体で支柱１０に取り付けたとしても、上下の位置を揃えて水平に見栄え良く設置することができる。
【００２７】
一方、フェンスネット１をさらに下側に引き下げて設置したい場合（例えば、支柱１０の全長が長く、下側部分が覆えない場合）には、作業者がフェンスネット１をさらに下側へ引き下げて閉止手段６を頂部１０Ａで破壊する（突き破る）ことで、フェンスネット１を容易に下側へ移動させて設置することができる（図５参照）。
【００２８】
フェンスネット１の上下方向の位置を調整した後に、フェンスネット１を支柱１０に対して固定紐７で結んで固定する（図４および図５参照）。この固定紐７は、予めフェンスネット１に一体に取り付けられていてもよく、フェンスネット１と別体で用意してあってもよい。
【００２９】
また、支柱１０と支柱挿通穴４との間に遊び（隙間）がなく取り付けられる場合には、固定紐７を使用せずにフェンスネット１を設置するようにしてもよい。この場合、支柱１０の外周を、支柱挿通部４の内面のみで覆うようにして支持してもよく、支柱挿通部４の内面と閉止手段６とで覆うようにして支持してもよい。
【００３０】
本考案の実施形態に係るフェンスネット１によれば、支柱挿通部４のそれぞれの幅寸法Ｌが等しく、かつ、隣り合う支柱挿通部４のそれぞれのピッチＰが等しく形成されているので、予め現地で打ち込まれた支柱１０に対して、その支柱１０の位置に合わせてフェンスネット１を張った状態で取り付けることができる。特に、地面に障害物２０があって支柱１０を所定の位置に打ち込めなかった場合であっても、従来と比較してフェンスネットに大きなたわみが生じさせないようにして（ピッチＰ以下のたわみで）設置することができる。
【００３１】
また、支柱挿通部４が下端部５Ａから上端部５Ｂまで連通する筒状に形成されているので、フェンスネット１を支柱１０に取り付ける際に、支柱１０の頂部１０Ａを下端部の開口に位置を合わせ、フェンスネット１を下側に引き下げるだけで取り付けることができる。そのため、現地でのフェンスネット１の設置を容易に短時間で行うことができる。
【００３２】
また、支柱挿通部４の上端部５Ｂが閉止手段６によって閉じられているので、フェンスネット１の支柱挿通部４を支柱１０に挿入して取り付ける際に、支柱１０の頂部１０Ａと閉止手段６とが突き当たり、フェンスネット１の上下方向の位置が自動的に決定されるようになる。そのため、現地作業において、上下方向の位置調整に手間が掛からず、見栄え良くフェンスネットを水平に設置することができる。
【００３３】
また、閉止手段６は、支柱１０の頂部１０Ａと閉止手段６とが突き当たった状態から、作業者がフェンスネット１をさらに下側へ引き下ろす力によって破壊される程度に形成されているので、フェンスネット１を下側に移動させて配置したい場合であっても、位置を容易に調整することができる。すなわち、現地の状況に合わせてフェンスネット１の上下配置を自由に調整することができる。
【００３４】
以上、本考案の実施形態に係るフェンスネット１について述べたが、本考案は既述の実施形態に限定されるものではなく、本考案の技術思想に基づいて各種の変形および変更が可能である。
例えば、本実施の形態では、支柱挿通部４の幅寸法Ｌが、支柱１０を挿入した状態で、支柱挿通部４の内側と支柱１０の外面とがほぼ隙間なく挿入される大きさに形成されているが、これに限定されない。例えば、幅寸法Ｌを支柱１０の直径の２〜２．５倍に形成しておけば、支柱１０を間隔Ｄ（Ｐ＋Ｄ、Ｐ−Ｄ）で打ち込むことができなかった場合（図７参照）でも、この２〜２．５倍の幅寸法Ｌの範囲内でフェンスネットを幅方向に移動させて張ることができる。
【００３５】
例えば、支柱１０の直径が４８．６ｍｍの場合、支柱挿通部４の幅寸法Ｌを約１００ｍｍ（支柱１０の直径の２倍）にすることで、支柱１０と支柱挿通部４との遊び（隙間）がないようにフェンスネット１を設置することができる（支柱１０の外周に付着する泥や支柱１０の変形等を加味した経験値に基づく）。
【００３６】
また、現地の状況から、幅寸法Ｌが１５０ｍｍ（支柱１０の直径の２．５倍）であれば、大体の状況においてフェンスネット１をたわみなく張ること、或いは、若干のたわみが生じても外観上で見栄えが悪くならない程度に張ることができることが分かった。このとき、幅寸法Ｌの余裕分だけ支柱挿通部４を支柱１０に巻き付けるようにしてフェンスネットを引っ張り、固定紐７で固定することでたわみを吸収するようにしてもよい。これにより、支柱１０の打ち込み位置にかかわらず、フェンスネットを張った状態にして設置することができる。
【００３７】
さらに、支柱挿通部４の幅寸法Ｌを直径の２〜２．５倍にすることで、現地で支柱挿通部４を支柱１０に挿入する作業を容易に行うことができ、設置作業性が向上する。
また、幅寸法Ｌを大きくすると、フェンスネットが自重で下側に落ちてしまい、現地でのフェンスネットの上下方向の位置調整（水平に張ること）に手間がかかる場合がある。しかしながら、閉止手段６を設けることでフェンスネットの上下位置が定まるので、上下方向の位置の調整が簡単にでき、かつ、水平に張ることができる。
【００３８】
他方、本考案のフェンスネット１は、現地で支柱１０を予め打ち込んだ後に、この支柱１０に被せるようにして上側から取り付けるのに優れているが、当然に、予めフェンスネット１の支柱挿通部４に支柱１０を挿入した状態で支柱１０を地面に打ち込むようにすることもできる。
【符号の説明】
【００３９】
１  フェンスネット
２  網目
３  連接部
４  支柱挿通部
５Ａ  下端部
５Ｂ  上端部
６  閉止手段
７  固定紐
１０  支柱
１０Ａ  頂部
２０  障害物
Ｌ  支柱挿通部の幅寸法
Ｍ  連接部の幅寸法
Ｐ  支柱挿通部のピッチ
Ｄ  支柱の間隔
【図１】
0003188865.tif 000003
【図２】
0003188865.tif 000004
【図３】
0003188865.tif 000005
【図４】
0003188865.tif 000006
【図５】
0003188865.tif 000007
【図６】
0003188865.tif 000008
【図７】
0003188865.tif 000009